(57)【要約】【課題】  退避させた退避画像の捜索が容易で、退避画像の状態で参照画像に使用可能な画像処理装置を提供する。【解決手段】  複数の異なる画像の作成を行う画像作成部３と、複数の画像を複数の画像表示エリアに表示する表示部５とを備え、画像数が画像表示エリア数よりも多い場合、優先順位条件に基づき前記画像を作成画像と退避用画像に選別し、前記画像表示エリアには作成画像表示エリアと退避エリアを設け、前記作成画像表示エリアに前記作成画像を表示し、前記退避エリアに前記退避用画像を所定のサイズに縮小した退避画像を表示する。【選択図】  図１
2006043167.tif 000002
【特許請求の範囲】
【請求項１】
複数の異なる画像の作成を行うＭＰＲ画像作成手段と、
前記ＭＰＲ画像作成手段により作成された複数の画像の優先順位条件を設定するための表示条件設定手段と、
前記複数の画像を複数の画像表示エリアに表示するＭＰＲ画像表示手段と、
前記複数の画像数が前記複数の画像表示エリア数よりも多い場合、前記表示条件設定手段により設定された優先順位条件に基づき前記複数の画像を作成画像と退避用画像に選別する選別手段と、
前記ＭＰＲ画像作成手段には、前記複数の画像表示エリアに作成画像表示エリアと退避エリアを設け、前記作成画像表示エリアに前記作成画像を表示し、前記退避エリアに前記退避用画像を所定のサイズに縮小した退避画像を表示するように制御する制御手段とを
備えたことを特徴とする画像処理装置。
【請求項２】
前記退避エリアには複数の分割した分割退避エリアを設け、前記退避画像を前記分割退避エリアに表示し、前記作成画像表示エリアの前記作成画像と前記分割退避エリアの前記退避画像の内、少なくとも第１の作成画像表示エリアの第１の作成画像と分割退避エリアの退避画像については、前記退避画像に表示させた画像作成条件に基づいて前記ＭＰＲ画像作成手段が前記第１の作成画像を作成または変更を行うことを特徴とする請求項１に記載の画像処理装置。
【請求項３】
前記ＭＰＲ画像作成手段は、前記複数の画像表示エリア及び前記複数の画像の内、少なくとも第１の画像表示エリアに表示された前記第１の画像と第２の画像表示エリアに表示された第２の画像について、前記第１の画像に対して設定した画像作成条件に基づき前記第２の画像の作成または変更を行うようにしたことを特徴とする請求項１に記載の画像処理装置。
【請求項４】
前記ＭＰＲ画像作成手段は、前記作成画像表示エリアに表示した前記作成画像と前記分割退避エリアに表示した前記退避画像の内、少なくとも第１の作成画像表示エリアに表示した第１の作成画像と第２の退避エリアに表示した第２の退避画像について、前記第１の作成画像に対して設定した画像作成条件に基づき前記第２の退避画像の作成または変更を行うようにしたことを特徴とする請求項２に記載の画像処理装置。
【請求項５】
前記ＭＰＲ画像作成手段は、前記分割退避エリアに表示した前記退避画像の内、少なくとも第１の分割退避エリアに表示した第１の退避画像と第２の分割退避エリアに表示した第２の退避画像について、前記第１の退避画像に対して設定した画像作成条件に基づき前記第２の退避画像の作成または変更を行うようにしたことを特徴とする請求項２に記載の画像処理装置。
【請求項６】
前記ＭＰＲ画像表示手段には、前記第２の退避画像及び前記第２の退避画像の画像作成条件が設定された前記第１の作成画像が設置されている前記第２の分割退避エリア及び前記第１の作成画像表示エリアをハイライト表示するようにしたことを特徴とする請求項１に記載の画像処理装置。
【請求項７】
前記ＭＰＲ画像作成手段は、前記退避画像を前記第１の作成画像表示エリアへ移動させることにより、前記退避画像を前記第１の作成画像表示エリアで縮小前の画像に復帰させると共に、前記第１の作成画像を前記退避エリアで前記所定のサイズに縮小するようにしたことを特徴とする請求項１に記載の画像処理装置。
【発明の詳細な説明】
【技術分野】
【０００１】
本発明は、画像処理装置に係り、複数の画像を表示する画像処理装置に関する。
【背景技術】
【０００２】
最近、Ｘ線ＣＴ（Ｃｏｎｐｕｔｅｄ・Ｔｏｍｏｇｒａｐｈｙ）装置、ＭＲＩ（Ｍａｇｎｅｔｉｃ・Ｒｅｓｏｎａｎｃｅ・Ｉｍａｇｉｎｇ）装置、超音波診断装置などにおいては、これら画像診断装置により得られた画像データを、ＭＰＲ（Ｍｕｌｔｉ・Ｐｌａｎａｒ・Ｒｅｃｏｎｓｔｒｕｃｔｉｏｎ）画像や三次元画像などの画像に処理し、表示させるようになってきている。
【０００３】
そして、ＭＰＲ画像には、直交３断面としてアキシャル画像、コロナル画像、サジタル画像を表示する以外にも、オブリーク画像、ダブルオブリーク画像、曲面ＭＰＲ画像など表示したい画像がある（例えば、特許文献１参照。）。
【０００４】
一方、三次元画像においても、ボリュームレンダリング法、ＭＩＰ（Ｍａｘｉｍｕｍ・Ｉｎｔｅｎｓｉｔｙ・Ｐｒｏｊｅｃｔｉｏｎ）法、加算平均法など画像の種類は多種多様になってきており、それらの画像を限られた画面上に同時に表示することが困難になってきている。
【０００５】
このような問題に対する解決策として、画面に収まりきらない画像を一旦退避させることが行われるがこの場合、退避させる画像の表示サイズを、例えば縦と横が夫々６４ピクセルの小さく固定した退避画像にして画面の隅に格納するなどの方法が取られてきた。
【特許文献１】特開平１０−１２４６４９号公報
【発明の開示】
【発明が解決しようとする課題】
【０００６】
しかしながら、格納した画像のままでは、診断のための参照画像として用いることはできず、格納した画像を表示エリアに移動させる必要があった。
【０００７】
また、通常の表示エリアで見たい画像を探す場合、画面の隅に格納した退避画像或いは表示エリアへの重ね合わせにより下に隠れた画像の中から探す必要があり、操作者の視線移動やマウスの操作が発生し、時間を要すると共に操作者の疲労を招いていた。
【０００８】
更に、格納した退避画像に対しては画像の操作を行うことができず、操作をするためには再度表示エリアに移動させる必要があった。
【０００９】
本発明は、上記問題点を解決するためになされたもので、退避させた退避画像の捜索が容易で、退避画像の状態で参照画像に使用可能な画像処理装置を提供することを目的とする。
【課題を解決するための手段】
【００１０】
上記目的を達成するために、請求項１に係る本発明の画像処理装置は、複数の異なる画像の作成を行うＭＰＲ画像作成手段と、前記ＭＰＲ画像作成手段により作成された複数の画像の優先順位条件を設定するための表示条件設定手段と、前記複数の画像を複数の画像表示エリアに表示するＭＰＲ画像表示手段と、前記複数の画像数が前記複数の画像表示エリア数よりも多い場合、前記表示条件設定手段により設定された優先順位条件に基づき前記複数の画像を作成画像と退避用画像に選別する選別手段と、前記ＭＰＲ画像作成手段には、前記複数の画像表示エリアに作成画像表示エリアと退避エリアを設け、前記作成画像表示エリアに前記作成画像を表示し、前記退避エリアに前記退避用画像を所定のサイズに縮小した退避画像を表示するように制御する制御手段とを備えたことを特徴とする。
【発明の効果】
【００１１】
本発明によれば、通常の表示エリアに退避エリアを設け、退避エリアに退避画像を表示させることにより、退避画像を参照画像として使用可能になり、必要になった退避画像を容易に探し出すことができる。
【００１２】
また、退避エリアからも表示エリアと同様に、画像或いは退避画像の変更操作を容易に行うことができる。
【発明を実施するための最良の形態】
【００１３】
以下に、本発明による画像処理装置の実施例を図１乃至図１４を参照して説明する。なお、本発明は、Ｘ線ＣＴ装置、ＭＲＩ装置、超音波診断装置等の画像診断装置よって得られた画像データを、アキシャル画像、コロナル画像、サジタル画像等の断面画像を表すＭＰＲ画像に或いはボリュームレンダリング法、ＭＩＰ法、加算平均法等により三次元画像に表示する画像処理装置に適用可能であるが、ここではＸ線ＣＴ装置により得られ三次元に再構成された画像データを基にＭＰＲ画像に表示する画像処理装置に適用した場合について説明する。
【００１４】
以下、図面を参照して本発明の実施例を説明する。
【００１５】
図１は、本発明による画像処理装置の構成を示すブロック図である。この画像処理装置１０は、Ｘ線ＣＴ装置２０によって複数の断層像が収集され、三次元に再構成された画像データをインターフェース１を介して取り込み保存する外部画像データ記憶部２と、外部画像データ記憶部２に保存されている画像データを処理して様々な画像を作成する画像作成部３を備えている。
【００１６】
また、画像処理装置１０は、画像作成部３で作成された画像、退避画像、ＭＰＲ画像を表示する表示部５と、画像作成及び表示に関する諸条件の選択や入力、各種コマンドの入力を行う操作部４と、画像処理装置１０の上記各ユニットを統括して制御する制御部６を備えている。
【００１７】
外部画像データ記憶部２は、Ｘ線ＣＴ装置２０によって三次元に再構成された画像データを保存するためのものであり、磁気ディスクなどメモリデバイスを備えている。
【００１８】
画像作成部３は、記憶回路と演算処理回路を備え、外部画像データ記憶部２に保存されている所望の画像データを、アキシャル画像、サジタル画像、コロナル画像、オブリーク画像、ダブルオブリーク画像、パノラマ画像、或いはクロスカット画像等の様々な画像の作成及び様々な画像が描画される画像表示エリアの作成、作成した画像を縮小した退避画像の作成、退避画像を表示する退避エリアの作成、画像を表示した画像表示エリア及び退避画像を表示した退避エリアを配置したＭＰＲ画像の作成等を行う機能を有している。
【００１９】
操作部４は、キーボード、トラックボール、マウスなどの入力デバイスや表示部５の一部を利用しての表示パネル、更には各種スイッチ等を備えたインターラクティブなインターフェースであり、表示部５に表示させる被検体情報、ＭＰＲ画像の各画像表示エリアに表示させる画像作成条件、更には各種コマンド等の入力を行う。
【００２０】
表示部５は、画像作成部３で作成したＭＰＲ画像等の表示を行うためのものであり、液晶或いはＣＲＴのモニタを備えている。
【００２１】
制御部６は、図示しないＣＰＵと記憶回路を備え、操作部４から供給される操作コマンド信号等を一旦記憶した後、これらの情報に基づいてインターフェース１、外部画像データ記憶部２、画像作成部３、及び表示部５の制御などシステム全体の制御を行う。
【００２２】
次に、図２は、図１の表示部５のモニタの画面に表示させたＭＰＲ画像の構成を示した図である。表示部５の画面１００は、ＭＰＲ画像を表示するためのＭＰＲ画像表示エリア１０１と、ＭＰＲ画像表示エリア１０１に表示させる画像の種類や画像作成条件の設定或いは変更などの操作を行うためのスイッチを有するＭＰＲコントロールパネル１０２を備えている。
【００２３】
ＭＰＲ画像表示エリア１０１は、正方形を形成し、正方形の１辺に平行な横分割線１１５と縦分割線１１６が夫々の中央で直交し、横分割線１１５と縦分割線１１６により均等に４分割されたＡ画像表示エリア１０３、Ｂ画像表示エリア１０４、Ｃ画像表示エリア１０５、及びＤ画像表示エリア１０６を形成し、画像表示エリア毎に１つの画像が描画される。
【００２４】
そして、ＭＰＲ画像表示エリア１０１に表示した初期状態のＭＰＲ画像のＡ画像表示エリア１０３、Ｂ画像表示エリア１０４、及びＣ画像表示エリア１０５には、他の画像表示エリアに移動可能なコロナル画像、サジタル画像、及びアキシャル画像が描画される。
【００２５】
また、初期状態のＭＰＲ画像のＡ画像表示エリア１０３、Ｂ画像表示エリア１０４、及びＣ画像表示エリア１０５には、コロナル画像、サジタル画像、アキシャル画像の画像作成条件を設定するためのＣ断面ＡＢカーソル１０７、Ｂ断面ＡＣカーソル１０８、Ａ断面Ｂカーソル１０９、及びＡ断面Ｃカーソル１１０を非表示可能に設定できる。
【００２６】
そして、Ａ画像表示エリア１０３には、直交するＣ断面ＡＢカーソル１０７及びＢ断面ＡＣカーソル１０８をＡ画像表示エリア１０３内を横分割線１１５及び縦分割線１１６に対して並行移動可能に設定できる。
【００２７】
また、Ｂ画像表示エリア１０４には、直交するＣ断面ＡＢカーソル１０７とＡ断面Ｂカーソル１０９をＢ画像表示エリア１０４内を横分割線１１５及び縦分割線１１６に対して並行移動可能に設定できる。
【００２８】
更に、Ｃ画像表示エリア１０５には、直交するＡ断面Ｃカーソル１１０及びＢ断面ＡＣカーソル１０８をＣ画像表示エリア１０５内を横分割線１１５及び縦分割線１１６に対して並行移動可能に設定できる。
【００２９】
そして、夫々の断面カーソルの移動操作は、図１の操作部４のマウス操作により画面１００上に表示されたポインタを夫々の断面カーソル上に移し、そこで断面カーソルをドラッグし、移動させたい位置でリリースすることによって行われる。
【００３０】
一方、ＭＰＲコントロールパネル１０２の画像作成のための操作によりＭＰＲ画像表示エリア１０１上に表示されるオブリーク断面カーソル、ダブルオブリーク断面カーソル、パノラマ断面カーソル、クロスカット断面カーソル等の移動可能な断面カーソルをＭＰＲ画像表示エリア１０１上の画像の所望の位置に設定表示することにより、新たにオブリーク画像、ダブルオブリーク画像、パノラマ画像、クロスカット画像等の画像を作成し表示できる。
【００３１】
そして、上述の操作によってＭＰＲ画像表示エリア１０１上に作成された画像が追加されることで全ての画像をＡ画像表示エリア１０３乃至Ｄ画像表示エリア１０６に表示できなくなった場合、後述の表示条件設定ウインドウに設定された条件を基に２つに分けて、Ａ画像表示エリア１０３乃至Ｄ画像表示エリア１０６を継続して使用する画像表示エリアと退避エリアとに区分する。２つに分けられたエリアの一方のエリアを退避エリアとし、他方のエリアを画像表示エリアと設定する。
【００３２】
例えば、Ａ画像表示エリア１０３を退避画像を表示する退避エリアとし、他のＢ画像表示エリア１０４乃至Ｄ画像表示エリア１０６を継続して使用する画像表示エリアとする。退避エリアに表示される画像については所定のサイズに縮小した退避画像を作成し、作成した退避画像を退避エリアに表示する機能を備えている。
【００３３】
また、画像の縮小は、後述のＭＰＲコントロールパネル１０２の退避画像サイズ設定スイッチの操作により設定できる。そして退避画像のサイズを１／２に設定した場合、退避エリア毎に数が２乃至４のいずれかの退避画像とすることができる。また、退避画像サイズの設定を１／３に設定した場合、退避画像の数が２乃至４のいずれかでは１つの退避エリアに１／２サイズに縮小した退避画像とし、退避画像の数が５乃至９のいずれかでは１つの退避エリアに１／３サイズに縮小した退避画像を表示することができる。
【００３４】
以下、退避画像サイズを１／２に設定した場合について説明を行うが、退避画像サイズを１／３にしてもよい。
【００３５】
ＭＰＲコントロールパネル１０２には、図示しないが図１の外部画像データ記憶部２に保存されている様々な画像データのリストを呼び出すための画像データリスト呼び出しスイッチ、初期状態のＭＰＲ画像の作成、初期状態のＭＰＲ画像の後に作成されるオブリーク画像、ダブルオブリーク画像、パノラマ画像、クロスカット画像等の画像作成及び夫々の画像の画像作成条件を設定するための断面カーソルを表示させるスイッチ、その他様々なＭＰＲ画像の画像作成条件の設定と選択を行う画像選択スイッチ、更には画面１００に表示した画像を終了させるためのスイッチ等の表示条件設定スイッチが配置されている。
【００３６】
次に、図３を用い、表示条件設定ウインドウについて説明する。表示条件設定ウインドウ１７０は、「優先度」の欄に優先番号を表示した優先度表示エリア１７１と、「表示条件」の欄に表示条件を設定するための画像設定エリア１７２と、画像設定エリア１７２に表示した表示条件を保存するための保存１７３のボタンを備えている。
【００３７】
そして、表示条件設定ウインドウ１７０は、図２のＭＰＲコントロールパネル１０２に設けた表示条件設定スイッチを押すことにより、ＭＰＲ画像表示エリア１０１上にウインドウ表示される。
【００３８】
優先度表示エリア１７１には、優先度１が最も優先順位が高く、以下順に、２、３の所定数の優先番号が表示されている。
【００３９】
画像設定エリア１７２には、優先度表示エリア１７１の優先番号毎に表示条件を設定するための四角枠が配置され、その四角枠上へ操作部４のマウスポインタによる移動操作で、優先番号の選択と共に複数の表示条件の中から所望の表示条件を選択設定できる。そして、優先番号毎に設定された表示条件は、保存１７３ボタンを押すことにより、制御部６の記憶回路の表示条件設定エリアに保存される。
【００４０】
表示条件設定ウインドウ１７０の表示条件に基づく画像の優先順位付けは、ＭＰＲ画像表示エリア１０１で作成された画像総数が５以上になったときに新画像作成毎に機能し、ＭＰＲ画像表示エリア１０１の夫々の画像表示エリアに表示された画像の他に、退避エリアが作成された場合は退避エリアに表示された退避画像をも含むすべての画像に対して、優先順位の高い順に３つの画像がＭＰＲ画像表示エリア１０１のＡ画像表示エリア１０３乃至Ｄ画像表示エリア１０６のいずれかに表示され、残りの画像が退避エリアに表示される。
【００４１】
ところで、例えば優先度１での表示条件から所定の条件を選択しただけでは優先順位の高い３つの画像を選別できない場合には、優先度を順に下げながらそれぞれの優先度における表示条件に基づき所定の条件を選択して優先順位付けを行うことで、優先順位の高い３つの画像を選別できた時点で、優先順位付けが終了する。
【００４２】
また、ある優先度の表示条件で同一優先順位に２つ以上の画像を選択した場合には、それらの画像の優先順位は無効になり、それらの画像及びまだ優先順位が付けられていない画像に対して、その優先度より１つ低い優先度における表示条件に基づき再度優先順位付けが行われる。
【００４３】
ここで特定の優先度での表示条件において選択した画像或いは退避画像が、既に特定の優先度よりも上位の優先度の表示条件で優先順位付けさせていた場合には、前記特定の優先度での表示条件は無効になり、特定の優先度よりも下位の優先度における表示条件に基づき再度優先順位付けが行われる。
【００４４】
次に、画像設定エリア１７２への表示条件の設定について説明する。優先度１での表示条件を、例えばＭＰＲ画像表示エリア１０１上で作成された最新の画像にするには、優先度表示エリア１７１の優先度１を選択し、画像設定エリア１７２で表示条件の中から「最新の画像」を選択設定する。
【００４５】
そして、次に優先度２における表示条件を、例えば優先順位上位の画像の画像作成条件を設定するための基になる画像、即ち優先順位上位の画像の画像作成のための断面カーソルを設定する画像にするには、優先度２を選択してから画像設定エリア１７２で「上位の画像作成条件設定画像」を選択設定する。
【００４６】
また、続いて優先度３における表示条件を、例えば最新の画像の１つ前に作成された画像にするには、画像設定エリア１７２の「最新の画像の前に作成された画像」を選択設定する。
【００４７】
以下同様に、例えば優先度４では「パノラマ画像」、優先度５では「クロスカット画像」、優先度６では「ダブルオブリーク画像」、優先度７では「オブリーク画像」、優先度８では「アキシャル画像」、優先度９では「コロナル画像」等の表示条件内容をそれぞれ選択して設定する。
【００４８】
以上のように表示条件設定ウインドウ１７０の表示条件に基づく画像の優先順位付けの機能を用いることにより、ＭＰＲ画像表示エリア１０１上で新たに画像を作成した結果、画像が５つ以上になった場合でも、或いは既に退避画像がある状態で新たに画像作成した場合でも、表示条件設定ウインドウ１７０に設定された表示条件に基づき、作成した全ての画像及び退避画像に優先順位を付けることができる。
【００４９】
図４は、ＭＰＲ画像の初期状態を示した図である。初期状態のＭＰＲ画像１２０は、図１の表示部５におけるモニタの図示しないコントロールパネルの操作により画像データリストの中から所望の被検体の画像データを選択し、ＭＰＲコントロールパネル１０２の表示条件設定スイッチの中の画像選択スイッチでＭＰＲ画像を選択することにより表示される。
【００５０】
初期状態のＭＰＲ画像１２０は、Ａ画像表示エリア１０３に描画された被検体の顔面にほぼ並行な断面像のコロナル画像１２１と、Ｂ画像表示エリア１０４に表示された被検体の顔面にほぼ垂直な断面像のサジタル画像１２２と、Ｃ画像表示エリア１０５に表示された被検体の体軸に垂直な頭部断面像のアキシャル画像１２３からなる。
【００５１】
Ａ画像表示エリア１０３のコロナル画像１２１は、Ｂ画像表示エリア１０４のサジタル画像１２２上に直線で表示されたＡ断面Ｂカーソル１０９或いはＣ画像表示エリア１０５のアキシャル画像１２３上に直線で表示されたＡ断面Ｃカーソル１１０の位置における断面を示している。
【００５２】
Ｂ画像表示エリア１０４のサジタル画像１２２は、Ａ画像表示エリア１０３のコロナル画像１２１或いはＣ画像表示エリア１０５のアキシャル画像１２３上に直線で表示されたＢ断面ＡＣカーソル１０８の位置における断面を示している。
【００５３】
Ｃ画像表示エリア１０５のアキシャル画像１２３は、Ａ画像表示エリア１０３のコロナル画像１２１或いはＢ画像表示エリア１０４のサジタル画像１２２上に直線で表示されたＣ断面ＡＢカーソル１０７の位置における断面を示している。
【００５４】
次に、図５乃至図８を用い、前記初期状態のＭＰＲ画像１２０を含んで更にＭＰＲ画像上に追加作成される様々な画像について順を追って説明する。
【００５５】
まず、図５を用い、図４の初期状態のＭＰＲ画像１２０に更に追加作成するオブリーク画像について説明する。オブリーク画像表示ＭＰＲ画像１３０は、初期状態のＭＰＲ画像１２０を表示した状態で、図２のＭＰＲコントロールパネル１０２の操作により、Ｄ画像表示エリア１０６にオブリーク画像１３２が描画される。このとき、アキシャル画像１２３上にオブリーク画像１３２の画像作成条件を設定するためのオブリーク断面カーソル１１１が追加表示される。
【００５６】
即ち、オブリーク画像１３２は、Ｄ画像表示エリア１０６に表示されるが、このオブリーク画像１３２は、Ｃ画像表示エリア１０５のアキシャル画像１２３上に表示されたオブリーク断面カーソル１１１の位置における断面を示している。
【００５７】
オブリーク断面カーソル１１１は、ＭＰＲコントロールパネル１０２におけるオブリーク画像スイッチを押すことにより表示され、オブリーク断面カーソルをＣ画像表示エリア１０５のアキシャル画像１２３上の所望の角度に設定表示したものである。
【００５８】
次に、図６を用い、図５のオブリーク画像表示ＭＰＲ画像１３０上で、オブリーク画像の次に作成するダブルオブリーク画像及び退避画像について説明する。
【００５９】
第１の退避画像表示ＭＰＲ画像１４０は、オブリーク画像表示ＭＰＲ画像１３０を表示した状態で、図２のＭＰＲコントロールパネル１０２を操作することにより、ダブルオブリーク画像１４２及びダブルオブリーク断面カーソル１４１が表示されると共に、Ａ退避エリア１０３ａがオブリーク画像表示ＭＰＲ画像１３０に追加表示される。
【００６０】
即ち、第１の退避画像表示ＭＰＲ画像１４０は、Ｂ画像表示エリア１０４に作成表示したダブルオブリーク画像１４２と、Ｃ画像表示エリア１０５に表示したオブリーク画像表示ＭＰＲ画像１３０のアキシャル画像１２３と、Ｄ画像表示エリア１０６のオブリーク画像１３２に追加表示したダブルオブリーク断面カーソル１４１と、Ａ退避エリア１０３ａに退避させた退避コロナル画像と退避サジタル画像１２２ａの２つの退避画像からなる。
【００６１】
Ｂ画像表示エリア１０４に表示されるダブルオブリーク画像１４２は、Ｄ画像表示エリア１０６のオブリーク画像１３２上に表示されたダブルオブリーク断面カーソル１４１の位置における断面を示している。
【００６２】
Ｃ画像表示エリア１０５には、アキシャル画像１２３、Ｂ断面ＡＣカーソル１０８、Ａ断面Ｃカーソル１１０、及びオブリーク断面カーソル１１１がそのまま表示される。
【００６３】
Ｄ画像表示エリア１０６には、Ｄ画像表示エリア１０６におけるオブリーク画像１３２上にダブルオブリーク断面カーソル１４１が追加表示される。
【００６４】
なお、オブリーク画像１３２上のダブルオブリーク断面カーソル１４１は、ＭＰＲコントロールパネル１０２のダブルオブリーク画像スイッチを押すことにより表示、非表示することが可能であり、表示されたダブルオブリーク断面カーソル１４１は、Ｄ画像表示エリア１０６内で角度調整及び移動も可能で、図示状態はオブリーク画像１３２上の所望の位置に設定したものである。
【００６５】
一方、オブリーク画像表示ＭＰＲ画像１３０のＡ画像表示エリア１０３の場所に設置したＡ退避エリア１０３ａは、Ａ退避エリア１０３ａの中央に表示された退避エリア縦分割線１４５により分割されたＡ１退避エリアａ１４３とＡ２退避エリアａ１４４からなる。
【００６６】
そして、Ａ１退避エリアａ１４３には、図５のＡ画像表示エリア１０３に表示されていたコロナル画像１２１、Ｃ断面ＡＢカーソル１０７、及びＢ断面ＡＣカーソル１０８に対応した１／２サイズのコロナル画像１２１、退避コロナル画像ａ１２１ａ、退避Ｃ断面ＡＢカーソルａ１０７ａ、及び退避Ｂ断面ＡＣカーソルａ１０８ａが表示される。
【００６７】
また、Ａ２退避エリアａ１４４には、図５のＢ画像表示エリア１０４に表示されていたサジタル画像１２２、Ｃ断面ＡＢカーソル１０７、及びＡ断面Ｂカーソル１０９に対応したサジタル画像１２２の１／２サイズの退避サジタル画像ａ１２２ａ、退避Ｃ断面ＡＢカーソルａ１０７ａ、及び退避Ａ断面Ｂカーソルａ１０９ａが表示される。
【００６８】
次に、図５をも用いて、第１の退避画像表示ＭＰＲ画像１４０の夫々の画像表示エリアに表示する画像の選別について説明する。ダブルオブリーク画像１４２の作成に際しては、画像の総数は５つになり、画像表示エリアの総数が４つであることから全ての画像を表示できないことになる。そこで、退避エリアを作成して一部の画像を退避画像とし、全ての画像及び退避画像を図２のＭＰＲ画像表示エリア１０１に表示させる必要がある。
【００６９】
そのためには、５つの画像に対して優先順位付を行い、優先順位１乃至３の画像をＡ画像表示エリア１０３乃至Ｄ画像表示エリア１０６の任意の画像表示エリアに表示させ、優先順位４以下の２つの画像を１／２に縮小した退避画像にして新たに作成した退避エリアに表示させるようにしている。この実施例ではＡ画像表示エリア１０３を退避エリアとしている。
【００７０】
優先順位付は、図３の表示条件設定ウインドウ１７０で設定した表示条件に基づき、図５のコロナル画像１２１、サジタル画像１２２、アキシャル画像１２３、及びオブリーク画像１３２と、新たに作成されたダブルオブリーク画像１４２の５つの画像に対して行われる。
【００７１】
そして、優先順位付において最新の画像であるダブルオブリーク画像１４２を優先順位１とし、優先度２に該当するのはダブルオブリーク画像１４２の画像作成条件の設定に必要な画像即ち、オブリーク画像１３２が該当する。そして、このオブリーク画像１３２の画像作成条件の設定に必要な画像であるアキシャル画像１２３が優先順位３になるので、優先順位１乃至３の画像をＢ画像表示エリア１０４乃至Ｄ画像表示エリア１０６のいずれかに表示させるようにし、優先順位４以下のコロナル画像１２１とサジタル画像１２２を１／２に縮小してＡ退避エリア１０３ａへ表示させる。
【００７２】
ところで、第１の退避画像表示ＭＰＲ画像１４０では、アキシャル画像１２３及びオブリーク画像１３２をオブリーク画像表示ＭＰＲ画像１３０と同じＣ画像表示エリア１０５及びＤ画像表示エリア１０６に表示し、ダブルオブリーク画像１４２をＢ画像表示エリア１０４に表示させたが、夫々の画像における画像表示エリアは特定されるものではなく、他の画像表示エリアに表示させるようにしてもよい。
【００７３】
また、同様にＡ画像表示エリア１０３をＡ退避エリア１０３ａとしたが、例えば退避させるサジタル画像１２２が表示されていたオブリーク画像表示ＭＰＲ画像１３０のＢ画像表示エリア１０４を退避エリアとして設定してもよい。
【００７４】
更に、退避画像が２つになるＡ退避エリア１０３ａにおいては、Ａ退避エリア１０３ａを退避エリア縦分割線１４５で均等になるように２分割して、退避コロナル画像ａ１２１ａをＡ１退避エリアａ１４３に、また退避サジタル画像ａ１２２ａをＡ２退避エリアａ１４４に表示したが、夫々の退避画像における退避エリアはこれに限定されるものではない。
【００７５】
以上説明したＡ１退避エリアａ１４３、Ａ２退避エリアａ１４４においても、画像表示エリアと同じレイアウトで退避画像と退避断面カーソルを表示し、夫々の退避エリアからも画像表示エリアと同様、退避断面カーソルの移動によるオブリーク画像１３２、アキシャル画像１２３等、或いは退避コロナル画像ａ１２１ａと退避サジタル画像ａ１２２ａの断面の変更操作を行うことができる。
【００７６】
次に、図７を用い、図６の第１の退避画像表示ＭＰＲ画像１４０上に、ダブルオブリーク画像１４２の次にパノラマ画像を作成表示すると共に、その時の退避画像の表示について説明する。
【００７７】
第２の退避画像表示ＭＰＲ画像１５０は、第１の退避画像表示ＭＰＲ画像１４０を表示した状態で、図２のＭＰＲコントロールパネル１０２を操作することにより、パノラマ画像１５３及びパノラマ断面カーソル１５１が、Ｄ退避エリア１０６ｂと共に第１の退避画像表示エリアＭＰＲ画像１４０上に追加表示される。
【００７８】
第２の退避画像表示ＭＰＲ画像１５０は、Ａ画像表示エリア１０３に作成したパノラマ画像１５３を表示させ、Ｂ画像表示エリア１０４にダブルオブリーク画像１４２を、Ｃ画像表示エリア１０５にアキシャル画像１２３に追加表示したパノラマ断面カーソル１５１を、更にＤ退避エリア１０６ｂに３つの退避画像を退避させている。
【００７９】
Ａ画像表示エリア１０３のパノラマ画像１５３は、Ｃ画像表示エリア１０５のアキシャル画像１２３上に曲線で表示されたパノラマ断面カーソル１５１の位置における断面を示している。
【００８０】
Ｂ画像表示エリア１０４には、第１の退避画像表示ＭＰＲ画像１４０のＢ画像表示エリア１０４におけるダブルオブリーク画像１４２がそのまま表示される。
【００８１】
そして、画像表示エリア１０５のアキシャル画像１２３上のパノラマ断面カーソル１５１は、ＭＰＲコントロールパネル１０２のパノラマ画像スイッチを押し、パノラマ断面カーソルの表示エリアをＣ画像表示エリア１０５に選定することにより表示される。Ｃ画像表示エリア１０５内に曲げ及び曲線長さを調整自在に表示されたパノラマ断面カーソル１５１を、アキシャル画像１２３上の所望の位置に設定表示したものである。
【００８２】
Ｄ退避エリア１０６ｂは、第１の退避画像表示ＭＰＲ画像１４０のＤ画像表示エリア１０６と同一エリアで、Ｄ退避エリア１０６ｂの中央には、第２の退避画像表示ＭＰＲ画像１５０に表示した横分割線１１５と並行に表示された退避エリア横分割線１５５、縦分割線１１６に並行に表示された退避エリア縦分割線１４５によりＤ１退避エリアｂ１５６、Ｄ２退避エリアｂ１５７、Ｄ３退避エリアｂ１５８、及びＤ４退避エリアｂ１５９の４つに分割されている。
【００８３】
そして、Ｄ１退避エリアｂ１５６には、図６のＡ１退避エリアａ１４３に表示されていた退避コロナル画像ａ１２１ａに対応した退避コロナル画像ａ１２１ａと同一サイズの退避コロナル画像ｂ１２１ｂが表示され、この退避コロナル画像ｂ１２１ｂには退避Ｃ断面ＡＢカーソルｂ１０７ｂ、及び退避Ｂ断面ＡＣカーソルｂ１０８ｂも表示される。
【００８４】
また、Ｄ２退避エリアｂ１４４には、図６のＡ２退避エリアａ１４４に表示されていた退避サジタル画像ａ１２２ａに対応した退避サジタル画像ａ１２２ａと同一サイズの退避サジタル画像ｂ１２２ｂが表示されると共に、退避Ｃ断面ＡＢカーソルｂ１０７ｂ、及び退避Ａ断面Ｂカーソルｂ１０９ｂが表示される。
【００８５】
Ｄ３退避エリアｂ１５８には何も表示されず、Ｄ４退避エリアｂ１５９には、図６のＤ画像表示エリア１０６に表示されていたオブリーク画像１３２に対応したオブリーク画像１３２の１／２サイズの退避オブリーク画像ｂ１３２ｂと退避ダブルオブリーク断面カーソルｂ１４１ｂが表示される。
【００８６】
次に、図３及び図６をも用い、第２の退避画像表示ＭＰＲ画像１５０の夫々の画像表示エリアに設置する画像の選別について説明する。パノラマ画像１５３の作成に際し、画像と退避画像の総数はパノラマ画像１５３を合わせて６つになるので、退避エリアを作成して一部の画像或いは退避画像を退避させ、全ての画像及び退避画像を図２のＭＰＲ画像表示エリア１０１に表示させる必要がある。
【００８７】
そのためには、６つの画像及び退避画像に対して優先順位を決めるための優先順位付を行い、優先順位１乃至３の画像をＡ画像表示エリア１０３乃至Ｄ画像表示エリア１０６の任意の画像表示エリアに設置し、優先順位４以下の３つの画像を１／２に縮小した退避画像にして退避エリアに設置する。
【００８８】
優先順位付は、図３の表示条件設定ウインドウ１７０へ設定した表示条件に基づき、図６の退避コロナル画像ａ１２１ａ、退避サジタル画像ａ１２２ａ、アキシャル画像１２３、オブリーク画像１３２、及びダブルオブリーク画像１４２と、新たに作成されたパノラマ画像１５３の６つの退避画像或いは画像に対して行われる。
【００８９】
そして、優先順位付をするための優先度１に該当するのは最新の画像であるパノラマ画像１５３のみなのでパノラマ画像１５３を優先順位１とし、次にパノラマ画像１５３の画像作成条件の設定に必要なアキシャル画像１２３が優先順位２となる。優先順位３はアキシャル画像１２３の画像作成条件の設定に必要な退避コロナル画像ａ１２１ａ及び退避サジタル画像ａ１２２ａの２つが同順位になるので、更にこの２つの退避画像とオブリーク画像１３２、及びダブルオブリーク画像１４２を加えて優先度３の表示条件に基づき優先順位付けを行う。
【００９０】
その結果、優先度３に該当する最新の画像の前に作成された画像は、パノラマ画像１５３の前に作成されたダブルオブリーク画像１４２となり、これが優先順位３に該当する。従って、優先順位１乃至３のパノラマ画像１５３、アキシャル画像１２３、及びダブルオブリーク画像１４２をＡ画像表示エリア１０３乃至Ｄ画像表示エリア１０６のいずれか、図７においてはＡ画像表示エリア１０３乃至Ｃ画像表示エリア１０５に表示、優先順位４以下の退避コロナル画像ａ１２１ａ、退避サジタル画像ａ１２２ａ、及びオブリーク画像１３２をＤ画像表示エリア１０６に対応するＤ退避エリア１０６ｂに表示する。
【００９１】
ところで、第２の退避画像表示ＭＰＲ画像１５０には、ダブルオブリーク画像１４２及びアキシャル画像１２３を第１の退避画像ＭＰＲ表示画像１４０と同じＢ画像表示エリア１０４及びＣ画像表示エリア１０５へ表示し、パノラマ画像１５３をＡ画像表示エリア１０３へ表示させたが、夫々の画像における画像表示エリアは特に限定されるものではない。
【００９２】
なお、第２の退避画像表示ＭＰＲ画像１５０においては、Ｄ画像表示エリア１０６をＤ退避エリア１０６ｂとしたが、図６に示したＡ画像表示エリア１０３や、他の画像表示エリアを退避エリアとしてもよい。また、４分割したＤ退避エリア１０６ｂのＤ１退避エリアｂ１５６、Ｄ２退避エリアｂ１５７、及びＤ４退避エリアｂ１５９においても、画像表示エリアと同じレイアウトで断面カーソルを表示し、夫々の退避エリアからも画像表示エリアと同様、断面カーソルの移動による画像或いは退避画像の断面の変更操作を行うことができる。
【００９３】
次に、図８を用い、図７の第２の退避画像表示ＭＰＲ画像１５０上で、パノラマ画像１５３の次にクロスカット画像を作成する場合について説明する。
【００９４】
図８に示した第３の退避画像表示ＭＰＲ画像１８０は、第２の退避画像表示ＭＰＲ画像１５０を表示した状態で、図２のＭＰＲコントロールパネル１０２を操作することにより、所定のエリアにまた所定の画像にクロスカット画像、クロスカット断面カーソル追加表示される。
【００９５】
即ち、第３の退避画像表示ＭＰＲ画像１６０のＡ画像表示エリア１０３に表示されたパノラマ画像１５３にはＡクロスカット断面カーソル１６０が追加表示され、Ｂ画像表示エリア１０４に作成表示したダブルオブリーク画像１４２がＤ退避エリア１０６ｂに退避され、Ｂ画像表示エリア１０４にはクロスカット画像１５４が表示される。Ｃ画像表示エリア１０５に表示されているアキシャル画像１２３にはＣクロスカット断面カーソル１５２が追加表示され、Ｄ退避エリア１０６ｂには新たに退避させたダブルオブリーク画像１２３を含めた４つの退避画像が表示される。
【００９６】
Ａ画像表示エリア１０３のパノラマ画像１５３上には、Ａクロスカット断面カーソル１６０が追加表示される。
【００９７】
このＡクロスカット断面カーソル１６０は、ＭＰＲコントロールパネル１０２のクロスカット画像表示スイッチを押すことによりクロスカット断面カーソル１５２と共に表示され、クロスカット断面カーソル１５２の設定に従属してＡ画像表示エリア１０３内に縦分割線１１６に平行且つ移動可能にパノラマ画像１５３上に表示される。
【００９８】
Ｂ画像表示エリア１０４のクロスカット画像１５４は、Ａ画像表示エリア１０３のパノラマ画像１５３及び画像表示エリアＣのアキシャル画像１２３上に夫々直線で表示されたＡクロスカット断面カーソル１６０及びＣクロスカット断面カーソル１５２の位置における断面を示している。
【００９９】
ここで、Ｃクロスカット断面カーソル１５２は、パノラマ断面カーソル１５１に直交し、直線の長さを調整自在に表示され、パノラマ断面カーソル１５１上の所望の位置に設定表示している。
【０１００】
Ｄ退避エリア１０６ｂは、第２の退避画像表示ＭＰＲ画像１５０の退避エリアと同じ構成で、Ｄ１退避エリアｂ１５６及びＤ２退避エリアｂ１５７には図７の退避エリアの退避画像と断面カーソルがそのまま表示される。
【０１０１】
また、Ｄ退避エリア１０６ｂのＤ３退避エリアｂ１５８には図７のＤ４退避エリアｂ１５９と同じ退避オブリーク画像ｂ１３２ｂ及び退避ダブルオブリーク断面カーソルｂ１４１ｂが表示され、更にＤ４退避エリアｂ１５９には図７のＢ画像表示エリア１０４のダブルオブリーク画像１４２に対応したダブルオブリーク画像１４２の１／２サイズの退避ダブルオブリーク画像ｂ１４２ｂが表示される。
【０１０２】
次に、図７をも用い、第３の退避画像表示ＭＰＲ画像１８０の夫々の画像表示エリアに表示する画像の選別について説明する。クロスカット画像１５４の作成に際し、画像と退避画像の総数は７つになる。そのためには、７つの退避画像を含む画像に対して優先順位付を行い、優先順位１乃至３の画像をＡ画像表示エリア１０３乃至Ｄ画像表示エリア１０６の任意の画像表示エリアに表示し、優先順位４以下の３つの画像を１／２に縮小して退避画像とし、退避エリアに表示することになる。
【０１０３】
優先順位付は、図３の表示条件設定ウインドウ１７０へ設定した表示条件に基づき、退避コロナル画像ｂ１２１ｂ、退避サジタル画像ｂ１２２ｂ、退避オブリーク画像ｂ１３２ｂ、ダブルオブリーク画像１４２、アキシャル画像１２３、及びパノラマ画像１５３と、新たに作成されたクロスカット画像１５４の７つの画像に対して行われる。
【０１０４】
そして、優先順位付をするための優先度１に該当するのは最新の画像であるクロスカット画像１５４のみであることからクロスカット画像１５４を優先順位１とし、次に優先度２はクロスカット画像１５４の画像作成条件の設定に必要なアキシャル画像１２３とパノラマ画像１５３であるが、パノラマ画像１５３に追加表示されたＡクロスカット断面カーソルＡ１６０はアキシャル画像１２３上に設定表示されたＣクロスカット断面カーソル１５２に従属するので、この場合はアキシャル画像１２３が優先順位２になり、パノラマ画像１５３が優先順位３になる。
【０１０５】
従って、優先順位１乃至３のクロスカット画像１５４、アキシャル画像１２３、及びパノラマ画像１５３をＡ画像表示エリア１０３乃至Ｄ画像表示エリア１０６の内の３つの画像表示エリアに表示させ、優先順位４以下の退避コロナル画像ｂ１２１ｂ、退避サジタル画像ｂ１２２ｂ、退避オブリーク画像ｂ１３２ｂ、及びダブルオブリーク画像１４２を残りの１つの画像表示エリアである退避エリアへ表示させることになる。
【０１０６】
第３の退避画像表示ＭＰＲ画像１８０では、パノラマ画像１５３及びアキシャル画像１２３をＡ画像表示エリア１０３及びＣ画像表示エリア１０５に表示させ、クロスカット画像１５４をダブルオブリーク画像１４２を退避させたＢ画像表示エリア１０４に表示したが、夫々の画像における画像表示エリアはこれに限定されるものではない。
【０１０７】
また、退避させたダブルオブリーク画像１４２を退避ダブルオブリーク画像ｂ１４２ｂとして表示させている。
【０１０８】
そして、Ｄ退避エリア１０６ｂに退避させたコロナル画像ｂ１２１ｂ、退避サジタル画像ｂ１２２ｂ、及び退避オブリーク画像ｂ１３２ｂの表示位置もＤ退避エリア１０６ｂ内で種々変更できる。
【０１０９】
Ｄ退避エリア１０６ｂのＤ１退避エリアｂ１５６、Ｄ２退避エリアｂ１５７、Ｄ３退避エリアｂ１５８、及びＤ４退避エリアｂの退避画像においても、断面カーソルが表示され、夫々の退避エリアからも画像表示エリアと同様、断面カーソルの移動による画像或いは退避画像の断面の変更操作を行うことができる。
【０１１０】
次に、図９乃至図１４を用い、図６の第１の退避画像表示ＭＰＲ画像１４０を起点とし、ＭＰＲ画像上で操作可能な様々な機能について説明する。
【０１１１】
図９の退避画像入替ＭＰＲ画像１９０は、図６の第１の退避画像表示ＭＰＲ画像１４０における退避サジタル画像ａ１２２ａとアキシャル画像１２３の入替えを行った図である。
【０１１２】
図６のＡ２退避エリアａ１４４の退避サジタル画像ａ１２２ａを画像表示エリアに表示する必要が生じた場合、画像表示エリアに表示されている画像の中から必要性の少ない画像を選択し、この画像と退避サジタル画像ａ１２２ａを入替えて、退避サジタル画像ａ１２２ａをＣ画像表示エリア１０５へ移動するものである。
【０１１３】
画像の入替操作は、例えば図６においてアキシャル画像１２３が不要になった場合、操作部４のマウスの操作によりポインタを図６の退避サジタル画像ａ１２２ａが表示されているＡ２退避エリアａ１４４上に移し、そこで退避サジタル画像ａ１２２ａをドラッグし、Ｃ画像表示エリア１０５でリリースすることによって、退避サジタル画像ａ１２２ａとアキシャル画像１２３を入替えることができる。
【０１１４】
退避画像入替ＭＰＲ画像１９０のＣ画像表示エリア１０５には、図６の退避サジタル画像ａ１２２ａを拡大したサジタル画像１２２が、対応したカーソルとともに表示される。また、退避画像入替ＭＰＲ画像１９０のＡ２退避エリアａ１４４には、図６のアキシャル画像１２３を縮小したサイズの退避アキシャル画像ａ１２３ａが、対応したカーソルと共に表示される。
【０１１５】
以上のように、必要になった退避画像を容易に探し出すことができ、簡単な操作で不要になった画像と入替えることにより、退避画像を縮小前の元のサイズに戻して表示し、不要になった画像を縮小して退避エリアへ移動することができる。
【０１１６】
図１０の退避画像拡大表示ＭＰＲ画像２００は、図６に示した第１の退避画像表示ＭＰＲ画像１４０における退避サジタル画像ａ１２２ａを退避前の元のサイズに戻した図である。
【０１１７】
退避サジタル画像ａ１２２ａを画像表示エリアに表示する必要が生じた場合で且つその時点で画像表示エリアに表示されている画像の中に不要な画像はないが退避コロナル画像ａ１２１ａを必要としないような場合、退避サジタル画像ａ１２２ａを元のサイズに戻すことができる。
【０１１８】
退避画像の拡大操作は、例えば退避サジタル画像ａ１２２ａが表示されているＡ２退避エリア１４４に、操作部４のマウスの操作で退避画像拡大表示ＭＰＲ画像２００上へポインタを移し、その後操作部４のマウスをダブルクリックすることによって、退避画像拡大表示ＭＰＲ画像２００のＡ画像表示エリア１０３にサジタル画像１２２を表示できる。
【０１１９】
このとき、退避画像拡大表示ＭＰＲ画像２００のサジタル画像１２２には、退避Ｃ断面ＡＢカーソル１０７ａ、及び退避Ａ断面Ｂカーソル１０９ａに対応したＣ断面Ａカーソル１０７、及びＡ断面Ｂカーソル１０９を含むＡ画像表示エリア１０３が表示されると共に、Ａ画像表示エリア１０３の下に格納マーク２０１が表示される。
【０１２０】
そしてこの格納マーク２０１の表示により、サジタル画像１２２の下に退避コロナル画像ａ１２１ａが格納されていることが分かるようになっている。
【０１２１】
以上のように、必要になった退避画像を容易に探し出すことができ、簡単な操作で退避エリア上に、退避画像を縮小前の元のサイズに戻して表示することができる。
【０１２２】
図１１の画像退避ＭＰＲ画像２１０は、図１０の退避画像拡大表示ＭＰＲ画像２００のＣ表示画像エリア１０５に表示されたアキシャル画像１２３を退避エリアに退避させた図である。
【０１２３】
アキシャル画像１２３が不要になった場合、アキシャル画像１２３を退避させることができる。
【０１２４】
画像の退避操作は、アキシャル画像１２３が表示されているＣ画像表示エリア１０５に、操作部４のマウスの操作によりポインタをＣ画像表示エリア１０５へ移し、その後操作部４のマウスをダブルクリックすることによって、画像退避ＭＰＲ画像２１０が表示される。これによりＣ画像表示エリア１０５はＣ退避エリア１０５ｃとなる。
【０１２５】
そして、画像退避ＭＰＲ画像２１０にはＣ退避エリア１０５ａが表示されて、このＣ退避エリア１０５ａは退避エリア縦分割線１４５によって分割されたＣ１退避エリアａ２１１とＣ２退避エリアａ２１２から形成される。
【０１２６】
Ｃ２退避エリアａ２１２には、退避画像拡大表示ＭＰＲ画像２００で表示されていたアキシャル画像１２３を縮小した退避アキシャル画像ａ１２３ａの他、対応したカーソルが表示される。
【０１２７】
更に、Ｃ１退避エリアａ２１１には、退避アキシャル画像ａ１２３ａの表示に同期して、図１０の退避画像拡大表示ＭＰＲ画像２００のＡ画像表示エリア１０３の下に格納されていた退避コロナル画像ａ１２１ａが対応するカーソルと共に表示される。
【０１２８】
図１２のＡ断面Ｃカーソル移動後ＭＰＲ画像２２０は、図６に示した第１の退避画像表示ＭＰＲ画像１４０におけるＣ画像表示エリア１０５のアキシャル画像１２３上に表示したＡ断面Ｃカーソル１１０を移動後Ａ断面Ｃカーソル２２１に移動させた図である。
【０１２９】
図６のＡ１退避エリアａ１４３に表示された退避コロナル画像ａ１２１ａを変更する必要が生じた場合、Ｃ画像表示エリア１０５のＡ断面Ｃカーソル１１０を上方へ移動し、移動後Ａ断面Ｃカーソル２２１に設定することにより、図６の退避コロナル画像ａ１２１ａを図１２に示す断面カーソル移動後退避コロナル画像２０３に変更することができる。
【０１３０】
また、図６の退避Ａ断面Ｂカーソル１０９ａを左方へ移動して図１２のように、移動後退避Ａ断面Ｂカーソル２２２の位置に設定表示することによっても、退避コロナル画像ａ１２１ａを断面カーソル移動後退避コロナル画像２０３に変更することが可能で、また退避Ａ断面Ｂカーソル１０９ａの移動と共にＡ断面Ｃカーソル１１０も上方に移動し図１２の移動後Ａ断面Ｃカーソル２２１の位置へ平行移動する。
【０１３１】
図１３のＣ断面Ａカーソル移動後ＭＰＲ画像２３０は、図１２のＡ断面Ｃカーソル移動後ＭＰＲ画像２２０における退避Ｃ断面ＡＢカーソルａ１０７ａを移動させた図である。
【０１３２】
Ａ断面Ｃカーソル移動後ＭＰＲ画像２２０のＣ画像表示エリア１０５に表示されたアキシャル画像１２３を変更する必要が生じた場合、Ａ退避エリア１０３ａに表示されている退避Ｃ断面ＡＢカーソルａ１０７ａを下方へ移動し、移動後退避Ｃ断面ＡＢカーソル２３１の位置に設定表示することにより、図１３で示した断面カーソル移動後アキシャル画像２３２に表示を変更することができる。
【０１３３】
図１４は、図６の第１の退避画像表示ＭＰＲ画像１４０をハイライト表示したハイライト表示ＭＰＲ画像２４０を示した図である。
【０１３４】
この場合、操作部４のマウス操作によりポインタを図６のアキシャル画像１２３が表示されたＣ画像表示エリア１０５上へ移動することにより、アキシャル画像１２３の画像作成条件か設定表示されたＡ１退避エリアａ１４３及びＡ２退避エリアａ１４４が、Ｃ画像表示エリア１０５とともに、例えば各エリアの四角枠を太線等で強調したハイライト表示２４１として表示される。
【０１３５】
このように、多くの画像或いは退避画像の中から関連する画像或いは退避画像を容易に見つけ出すことができる。
【０１３６】
以上述べた本発明の実施例によれば、ＭＰＲ画像の夫々の画像表示エリアに表示及び作成した様々な多くの画像の全ての画像を、画像表示エリアにできなくなった場合、優先順位の高い画像を選別し、また複数の画像表示エリアの少なくとも１つに退避エリアを設け、優先順位の高い画像を画像表示エリアへ表示し、優先順位の低い画像を縮小して退避エリアに表示することにより、退避画像を参照画像として使用可能になり、必要になった退避画像を容易に探し出すことができる。
【０１３７】
また、退避エリアからも画像表示エリアと同様に、画像或いは退避画像の変更操作を容易に行うことができる。
【０１３８】
なお、本発明は上記実施例に限定されるものではなく、例えば画像表示エリアを追加して５つ以上で行うようにしても、また作成する画像の種類が更に多い場合には複数の退避エリアを設置して実施するようにしてもよい。
【図面の簡単な説明】
【０１３９】
【図１】本発明の実施例に係る画像処理装置の構成を示したブロック図。
【図２】本発明の実施例に係る表示部の画面の構成を示した図。
【図３】本発明の実施例に係る表示条件設定ウインドウを示した図。
【図４】本発明の実施例に係る初期状態のＭＰＲ画像を示した図。
【図５】本発明の実施例に係るオブリーク画像表示ＭＰＲ画像を示した図。
【図６】本発明の実施例に係る第１の退避画像表示ＭＰＲ画像を示した図。
【図７】本発明の実施例に係る第２の退避画像表示ＭＰＲ画像を示した図。
【図８】本発明の実施例に係る第３の退避画像表示ＭＰＲ画像を示した図。
【図９】本発明の実施例に係る退避画像入替ＭＰＲ画像を示した図。
【図１０】本発明の実施例に係る退避画像拡大表示ＭＰＲ画像を示した図。
【図１１】本発明の実施例に係る画像退避ＭＰＲ画像を示した図。
【図１２】本発明の実施例に係るＡ断面Ｃカーソル移動後ＭＰＲ画像を示した図。
【図１３】本発明の実施例に係るＣ断面Ａカーソル移動後ＭＰＲ画像を示した図。
【図１４】本発明の実施例に係るハイライト表示ＭＰＲ画像を示した図。
【符号の説明】
【０１４０】
１  インターフェース
２  外部画像データ記憶部
３  画像作成部
４  操作部
５  表示部
６  制御部
１０  画像処理装置
１０１  ＭＰＲ画像表示エリア
１０３ａ  Ａ退避エリア
１０４  Ｂ画像表示エリア
１０５  Ｃ画像表示エリア
１０６  Ｄ画像表示エリア
１０７ａ  退避Ｃ断面ＡＢカーソルａ
１０８  Ｂ断面ＡＣカーソル
１０８ａ  退避Ｂ断面ＡＣカーソルａ
１０９ａ  退避Ａ断面Ｂカーソルａ
１１０  Ａ断面Ｃカーソル
１１１  オブリーク断面カーソル
１２１ａ  退避コロナル画像ａ
１２２ａ  退避サジタル画像ａ
１２３  アキシャル画像
１３２  オブリーク画像
１４０  第１の退避画像表示ＭＰＲ画像
１４１  ダブルオブリーク断面カーソル
１４２  ダブルオブリーク画像
１４３  Ａ１退避エリアａ
１４４  Ａ２退避エリアａ
１７０  表示条件設定ウインドウ
【図１】
2006043167.tif 000003
【図２】
2006043167.tif 000004
【図３】
2006043167.tif 000005
【図４】
2006043167.tif 000006
【図５】
2006043167.tif 000007
【図６】
2006043167.tif 000008
【図７】
2006043167.tif 000009
【図８】
2006043167.tif 000010
【図９】
2006043167.tif 000011
【図１０】
2006043167.tif 000012
【図１１】
2006043167.tif 000013
【図１２】
2006043167.tif 000014
【図１３】
2006043167.tif 000015
【図１４】
2006043167.tif 000016